(57)【特許請求の範囲】
【請求項１】
掃除機本体から上方に伸長された着脱可能に設けられた操作桿と、
前記操作桿に一体的に形成され、前記操作桿を前記掃除機本体から取り外すと一端が開口される吸込管と、
前記吸込管の他端に一端が連通され、他端が前記掃除機本体に収容された集塵室に連通された可撓性ホースと、
掃除機本体に収容されたコード巻取り装置に巻取り可能な電源コードと、
前記可撓性ホースに周設され、前記電源コードを挟持するコードクリップと、を備え、
前記コードクリップは、
切り欠きを有する円筒状に形成され、前記可撓性ホースに周着されるリング部と、
前記リング部の切り欠きに形成され、前記電源コードを挟持する挟持部とから構成されることを特徴とするアップライト型電気掃除機。
【発明の詳細な説明】
【技術分野】
【０００１】
本発明は、電源コードが係止されるフックが設けられた電気掃除機に関し、特に、吸込口体が下端に接続された掃除機本体から上方へ伸びる操作桿の操作ハンドル部を手で持って操作されるのに適したアップライト型電気掃除機に関する。
【背景技術】
【０００２】
従来のアップライト型電気掃除機では、電動送風機のような電動部が内蔵された掃除機本体の下端に吸込口体が接続されている。この掃除機本体には、その上方に伸びる操作桿が取り付けられる。この操作桿に形成された操作ハンドル部が操作されることにより、吸込口体は掃除機本体と共に移動して操作される。掃除機本体には、コード巻取り装置に巻取り可能な電源コードが備えられる。また掃除機本体には、電源コードが引き出される引出口が形成される。
【０００３】
このような従来のアップライト型電気掃除機では、掃除機本体に形成された引出口から引き出された電源コードが引出口から下方に垂れる。このような状態で従来のアップライト型電気掃除機を使用すると、掃除機本体に形成された引出口から下方に垂れた電源コードが、掃除機本体と共に移動する吸込口体に絡み付くことがある。吸込口体は電源コードが絡みついた円滑な移動を妨げられるとともに、電源コードは損傷を受ける恐れがある。
【０００４】
そこで、特許文献１には、電源コードが吸込口体に絡み付くことを防止するため、掃除機本体に形成された引出口から引き出された電源コードを操作桿に沿って引き上げた状態で操作桿に係止させるコードフックが設けられたアップライト型電気掃除機が記載されている。
【０００５】
図６は、従来のアップライト型電気掃除機に形成されたコードフックを示す斜視図である。
【０００６】
図６に示すように、従来のアップライト型電気掃除機３０に設けられたコードフック３１は、操作桿３２の外周壁に設けられた一対の抱持部３３と、抱持部３３の両端に形成された一対の案内リブ３４とを備える。抱持部３３の両端に設けられた案内リブ３４の各外端には傾斜面３４ａが形成される。傾斜面３４ａが形成された案内リブ３４の案内作用によって案内リブ３４で傷付けることなく抱持部３３に電源コード３５を案内できる。抱持部３３に案内された電源コード３５は抱持部３３で係止される。これにより、掃除機本体（図示省略）に形成された引出口の近傍で電源コード３５が下方に垂れ下がることを防止できる。したがって、電源コード３５の垂れ下がり部分が吸込口体（図示省略）に絡み付くことを防止できる。
【０００７】
また、特許文献２には、操作桿に設けられたコードフックに電源コードを確実に係止させて保持することができ、かつ、電源コードを損傷させることなくコードフックに係止させ、係止の解除ができるコードフックを有するアップライト型電気掃除機が記載されている。
【特許文献１】特開平４−９６７１８号公報
【特許文献２】特開２００５−１８５５８５号公報
【発明の開示】
【発明が解決しようとする課題】
【０００８】
特許文献１、２に記載の従来のアップライト型電気掃除機では、操作桿に設けられたコードフックに電源コードを係止して電源コードが吸込口体の近傍に垂れ下がることを防止している。したがって、電源コードをコードフックに係止し、あるいは係止の解除を行うに当たり、電源コードをコードフックに押入れ難かったり取り外し難かったりし、また、電源コードに引張力を作用させることが不可避であり、電源コードを損傷する恐れがあった。また、電源コードは、掃除機本体に商用電源を供給することから、電源コードの損傷は安全上も好ましくはない。
【０００９】
また、例えば、操作桿に一体的に形成され一端が開口された吸込管と、この吸込管の他端に連通された可撓性ホースとを有する従来のアップライト型電気掃除機が知られている。この可撓性ホースの他端は掃除機本体の集塵室に接続されている。
【００１０】
このような従来のアップライト型電気掃除機では、操作桿に一体的に形成された吸込管を掃除機本体から抜き出し、操作桿を把持した状態で吸込管の開口された端部から天井や壁または隙間などの塵挨を吸引できる。
【００１１】
ここで、電源コードを係止させるコードフックが設けられた操作桿を把持した状態で吸込管を操作すると、掃除機本体の引出口から引き出されコードフックに係止めされるまでの電源コード長さと、可撓性ホースの長さとの差によっては、コードフックに係止された電源コードが引っ張られて掃除機本体の操作の邪魔になったり、電源コードがその自重によってコードフックから脱落したり、あるいは電源コードが引っ張られて損傷したりする恐れがある。
【００１２】
本発明は、コードフックに相当する挟持部に電源コードを簡単かつ容易に着脱が可能であり、また、操作桿に一体的に形成された吸込管を掃除機本体から抜き出して使用するに当たり、操作の邪魔にならない位置に電源コードの挟持部を設けることが可能なアップライト型電気掃除機を提案する。
【課題を解決するための手段】
【００１３】
前記の課題を解決するため本発明では、掃除機本体から上方に伸長された着脱可能に設けられた操作桿と、前記操作桿に一体的に形成され、前記操作桿を前記掃除機本体から取り外すと一端が開口される吸込管と、前記吸込管の他端に一端が連通され、他端が前記掃除機本体に収容された集塵室に連通された可撓性ホースと、掃除機本体に収容されたコード巻取り装置に巻取り可能な電源コードと、前記可撓性ホースに周設され、前記電源コードを挟持するコードクリップとを備え、前記コードクリップは、切り欠きを有する円筒状に形成され、前記可撓性ホースに周着されるリング部と、前記リング部の切り欠きに形成され、前記電源コードを挟持する挟持部とから構成されることを特徴とする。
【発明の効果】
【００１４】
本発明によれば、挟持部に電源コードを簡単かつ容易に着脱が可能であり、また、操作桿に一体的に形成された吸込管を掃除機本体から抜き出して使用するに当たり、操作の邪魔にならない位置に電源コードの挟持部を設けることが可能なアップライト型電気掃除機を提供することができる。
【発明を実施するための最良の形態】
【００１５】
本発明に係るアップライト型電気掃除機の実施形態について、図１から図５を参照して説明する。
【００１６】
図１は、本発明に係るアップライト型電気掃除機の外観を示した図である。
【００１７】
図１に示すように、本発明に係るアップライト型電気掃除機１は、下端に吸込口体３が設けられ、上端に把手４が設けられた掃除機本体５と、掃除機本体５から上方に伸長された着脱可能に設けられた操作桿６と、操作桿６に一体的に形成され、操作桿６を掃除機本体５から取り外すと一端が開口される吸込管（図示省略）と、この吸込管の他端に一端が連通され、他端が掃除機本体５に収容された集塵室（図示省略）に連通された可撓性ホース７と、掃除機本体５に収容されたコード巻取り装置（図示省略）に巻取り可能な電源コード１０と、可撓性ホース７に周設され、電源コード１０を挟持するコードクリップ１１とを備える。
【００１８】
吸込口体３には、その移動を容易にすることでアップライト型電気掃除機１の操作を容易にするための一対の車輪１２が設けられる。吸込口体３は自在継ぎ手１３を介して掃除機本体５に接続される。
【００１９】
掃除機本体５には、吸込口体３から塵埃を含んだ空気を吸引する電動送風機（図示省略）が収容される。この電動送風機の作動によって、吸込口体３から掃除機本体５に形成された排気口（図示省略）に至る風路（図示省略）に沿って空気流が生じ、この風路の電動送風機よりも吸込口体３側に設けられた集塵室（図示省略）に吸込口体３から吸引された塵埃が集塵される。
【００２０】
掃除機本体５の上方に延在する操作桿６の一端は、継ぎ手部１５で掃除機本体５に着脱自在に接続される。他方、操作桿６の他端には操作用の操作ハンドル部１６が設けられる。操作桿６の操作ハンドル部１６の近傍にはホースフック１７が設けられる。ホースフック１７には、可撓性ホース７を係止可能である。
【００２１】
電源コード１０は、掃除機本体５に収容されたコード巻取り装置に巻取り可能であり、アップライト型電気掃除機１の不使用時にはコード巻取り装置に巻き取られた状態で掃除機本体５内に収納される。アップライト型電気掃除機１の使用時には、電源コード１０は、掃除機本体５に形成された引出口１８から引き出され、可撓性ホース７に設けられたコードクリップ１１に挟持される。また、電源コード１０は、その先端に設けられたプラグ（図示省略）が商用電源を供給するコンセント（図示省略）に接続されてアップライト型電気掃除機１に電力を供給する。
【００２２】
電源コード１０を可撓性ホース７に沿って引き上げた状態でコードクリップ１１に挟持させることによって、電源コード１０が吸込口体３の近傍に垂れることを防止できる。これにより、アップライト型電気掃除機１を操作するに当たり、掃除機本体５と共に移動する吸込口体３に電源コード１０が絡み付くことが防止される。また、電源コード１０が吸込口体３に絡み付くのを防止することで、電源コード１０の損傷を防止できる。
【００２３】
また、操作桿６に一体的に形成された吸込管を掃除機本体５から抜き出し、操作桿６を把持した状態で吸込管の開口された端部から天井や壁または隙間などの塵挨を吸引するに当たり、電源コード１０を挟持させるコードクリップ１１が可撓性ホース７に設けられているので、操作桿６を把持した状態で吸込管を操作しても、掃除機本体５の引出口からコードクリップ１１までの電源コード長さと、可撓性ホース７の長さとの差に限らず、コードクリップ１１に挟持された電源コード１０が引っ張られて掃除機本体５の操作の邪魔になったり、電源コード１０が引っ張られて損傷したりする恐れはない。
【００２４】
図２は、本発明に係るアップライト型電気掃除機の備える可撓性ホースに周設されるコードクリップの外観を示した斜視図である。
【００２５】
なお、図２に示されたコードクリップ１１は、説明の簡単のために挟持部２０が電源コード１０を挟持できる状態に組み合わされていない状態で示される。
【００２６】
図２に示すように、本発明に係るアップライト型電気掃除機１の備える可撓性ホース７に設けられたコードクリップ１１は、切り欠き２１ａを有する円筒状に形成され、アップライト型電気掃除機１の備える可撓性ホース７に周着されるリング部２１と、リング部２１の切り欠き２１ａに形成され、アップライト型電気掃除機１に電力を供給する電源コード１０を挟持する挟持部２０とから構成される。
【００２７】
リング部２１は、その内径を可撓性ホース７の外径よりも大きく形成され、かつ、切り欠き２１ａの一端には挟持部２０を構成する第１の突出部２４が一体的に形成され、他端には挟持部２０を構成する第２の突出部２５が一体的に形成される。切り欠き２１ａは、コードクリップ１１の挟持部２０が開かれた状態で、挟持部２０を構成する第１の突出部２４と第２の突出部２５との互いに向き合う面に間隔Ｄ１が開けられるよう構成される。リング部２１の材料にはＡＢＳ樹脂等の弾性体が用いられる。
【００２８】
また、リング部２１には、操作桿６に設けられたホースフック１７に着脱自在なホース係止部２６を設けることができる。このホース係止部２６を操作桿６に設けられたホースフック１７に係止させることによってアップライト型電気掃除機１の不使用時に可撓性ホース７を操作桿６に沿わせて容易に収納することができる。
【００２９】
図３は、本発明に係るアップライト型電気掃除機の備える可撓性ホースに設けられたコードクリップの挟持部を示した部分的な断面図である。
【００３０】
図２および図３に示すように、コードクリップ１１は、挟持部２０に電源コード１０を挟持可能に組み合わされた状態で可撓性ホース７に周設され、第１の突出部２４と第２の突出部２５との間には、リング部２１の復元力によって実線矢Ｆ１、Ｆ２で示された電源コード１０の保持力が付勢される。
【００３１】
挟持部２０を構成する第１の突出部２４は、リング部２１の切り欠き２１ａの一方の端部２１ｂからリング部２１の外面の略法線方向に突出して形成される。第１の突出部２４は、逆Ｌ字状断面であって逆Ｌ字底部２４ｂが保持力Ｆ１の付勢される方向へ突出して形成された基部２４ａと、第２の突出部２５との間に電源コードを挟持する略直方体に形成された押圧板部２４ｃとから構成される。
【００３２】
他方、挟持部２０を構成する第２の突出部２５は、リング部２１の切り欠き２１ａの他方の端部２１ｃからリング部２１の外面に沿って略周方向に突出して形成された基部２４ａと、基部２４ａの先端からリング部２１の円周の略法線方向に突出して形成される逆Ｌ字状断面を有する保持部２５ｂとから構成される。
【００３３】
第２の突出部２５の基部２５ａは、第１の突出部２４の押圧板部２４ｃが挿通される間隔Ｄ２の孔部２５ｃが設けられた板状部材である。この板状部材内面と、リング部２１の外面とは、略同一円弧面上に形成される。切り欠き２１ａの両端を近づける方向にリング部２１を変形させると、この板状部材の内面側をリング部２１の切り欠き２１ａの端部２１ｂが摺動する。このとき摺動可能な変位量は、孔部２５ｃの間隔Ｄ２によって決められる。孔部２５ｃの第１の突出部２４に形成された逆Ｌ字底部２４ｂが保持力Ｆ１によって付勢されて押圧される側の面には、逆Ｌ字底部２４ｂが係止される係止部２５ｄが階段状に形成される。
【００３４】
第２の突出部２５の保持部２５ｂの逆Ｌ字状断面の逆Ｌ字底部２５ｅは、保持力Ｆ２が付勢される方向へ突出して形成される。保持部２５ｂの突出量Ｈは、保持部２５ｂが第１の突出部２４の押圧板部２４ｃとともに挟持する電源コード１０の最大幅寸法Ｗｍａｘよりも大きく構成される。また、逆Ｌ字底部２５ｅの先端部と第１の突出部２４の押圧板部２４ｃの先端との間隔Ｄ３は、少なくとも電源コード１０の最小幅寸法Ｗｍｉｎよりも小さく構成される。
【００３５】
図４は、本発明に係るアップライト型電気掃除機の備える可撓性ホースに設けられたコードクリップの挟持部を開いた状態を示した部分的な断面図である。
【００３６】
図４に示すように、リング部２１に外力が作用すると、第１の突出部２４が第２の突出部２５に形成された孔部２５ｃを移動し、第１の突出部２４の押圧板部２４ｃの先端と第２の突出部２５の逆Ｌ字底部２５ｅの先端部との間隔Ｄ４が最大に開かれる。このとき間隔Ｄ４が電源コード１０の最小幅寸法Ｗｍｉｎよりも大きくなるように孔部２５ｃの間隔Ｄ２が構成される。
【００３７】
なお、リング部２１に外力が作用して第１の突出部２４が第２の突出部２５に形成された孔部２５ｃを移動すると、第１の突出部２４の逆Ｌ字底部２４ｂと第２の突出部２５の係止部２５ｄとの係止が解除され、第１の突出部２４を第２の突出部２５の孔部２５ｃから抜き出すことで、コードクリップ１１を可撓性ホース７から取り外すことができる。また、コードクリップ１１は、可撓性ホース７の所要の位置に周設することができる。
【００３８】
図５は、本発明に係るアップライト型電気掃除機の備える可撓性ホースに設けられたコードクリップの挟持部に電源コードが挟持された状態を示した部分的な断面図である。
【００３９】
図５に示すように、挟持部２０に電源コード１０が挟持されると、電源コード１０は、挟持部２０の第１の突出部２４と第２の突出部２５との間に挟持される。このとき電源コード１０には、第１の突出部２４の押圧板部２４ｃと第２の突出部２５の保持部２５ｂとを介してリング部２１から保持力が付勢される。第１の突出部２４の押圧板部２４ｃの先端と第２の突出部２５の逆Ｌ字底部２５ｅの先端部との間隔Ｄ５は、電源コード１０の最小幅寸法Ｗｍｉｎよりも小さくなるよう構成される。
【００４０】
本発明に係るアップライト型電気掃除機１のコードクリップ１１に電源コード１０を挟持する場合、先ず、図４に示すようにリング部２１に外力を作用させて第１の突出部２４と第２の突出部２５とが開かれる。次に、第１の突出部２４の押圧板部２４ｃの先端と第２の突出部２５の逆Ｌ字底部２５ｅの先端部との間を電源コード１０が通って挟持部２０の第１の突出部２４の押圧板部２４ｃと第２の突出部２５の保持部２５ｂとの間に電源コード１０が挿入される。この後に、リング部に作用させた外力を開放すると第１の突出部２４と第２の突出部２５とが閉じられて、電源コード１０には押圧板部２４ｃと保持部２５ｂとから保持力が作用して挟持部２０に保持される。
【００４１】
この挟持作業では、電源コード１０がコードクリップ１１の挟持部２０に挟持されるに当たり、電源コード１０には強い力が働かない。したがって、電源コード１０の被覆が傷付けられることなく電源コード１０をコードクリップ１１の所定の挟持位置に挿入させることができる。
【００４２】
図５に示すように、電源コード１０がコードクリップ１１に挟持された状態では、アップライト型電気掃除機１の操作によって電源コード１０に弛みが生じても、コードクリップ１１はリング部２１によって付勢されて電源コード１０を挟持していることから、挟持部２０から電源コード１０が容易に外れることはない。したがって、コードクリップ１１は、アップライト型電気掃除機１の操作中、これに挟持された電源コード１０を挟持位置に確実に保持する。また、コードクリップ１１は電源コード１０の遊びを許す。この遊びは、アップライト型電気掃除機１の操作中に電源コード１０の引っ掛かりによるアップライト型電気掃除機１の円滑な操作の妨げを防止する。従って、アップライト型電気掃除機１の円滑な操作が確保できる。また、電源コード１０に引っ掛かりによってコードクリップ１１の挟持部２０に付勢された保持力Ｆ１、Ｆ２を超えて電源コード１０に力が作用すると、挟持部２０が開いて電源コード１０が外れるので、コードクリップ１１の保持力を適切に調整することで電源コード１０に過度の力が作用することを防止できるので、電源コード１０の損傷を防止できる。
【００４３】
アップライト型電気掃除機１の使用後、先ず、図４に示すように、リング部２１に外力を作用させて第１の突出部２４と第２の突出部２５とが開かれる。次に、第１の突出部２４の押圧板部２４ｃの先端と第２の突出部２５の逆Ｌ字底部２５ｅの先端部との間を電源コード１０が通って挟持部２０から電源コード１０が取り外される。したがって、電源コード１０の被覆に損傷を与えることなく容易に電源コード１０をコードクリップ１１から取り外すことができる。
【００４４】
本実施形態に係るアップライト型電気掃除機１によれば、コードフック３１に相当するコードクリップ１１の挟持部２０に電源コード１０を簡単かつ容易に着脱が可能であり、また、操作桿６に一体的に形成された吸込管を掃除機本体５から抜き出して使用するに当たり、操作の邪魔にならない位置に電源コード１０の挟持部２０を設けることが可能である。
【図面の簡単な説明】
【００４５】
【図１】本発明に係るアップライト型電気掃除機の外観を示した図。
【図２】本発明に係るアップライト型電気掃除機の備える可撓性ホースに周設されるコードクリップの外観を示した斜視図。
【図３】本発明に係るアップライト型電気掃除機の備える可撓性ホースに設けられたコードクリップの挟持部を示した部分的な断面図。
【図４】本発明に係るアップライト型電気掃除機の備える可撓性ホースに設けられたコードクリップの挟持部を開いた状態を示した部分的な断面図。
【図５】本発明に係るアップライト型電気掃除機の備える可撓性ホースに設けられたコードクリップの挟持部に電源コードが挟持された状態を示した部分的な断面図。
【図６】従来のアップライト型電気掃除機に形成されたコードフックを示す斜視図。
【符号の説明】
【００４６】
１  アップライト型電気掃除機
３  吸込口体
４  把手
５  掃除機本体
６  操作桿
７  可撓性ホース
１０  電源コード
１１  コードクリップ
１２  車輪
１３  自在継ぎ手
１５  継ぎ手部
１６  操作ハンドル部
１７  ホースフック
１８  引出口
２０  挟持部
２１０  リング部
２１ａ  切り欠き
２１ｂ、２１ｃ  端部
２４  第１の突出部
２４ａ  基部
２４ｂ  逆Ｌ字底部
２４ｃ  押圧板部
２５  第２の突出部
２５ａ  基部
２５ｂ  保持部
２５ｃ  孔部
２５ｄ  係止部
２５ｅ  逆Ｌ字底部
２６  ホース係止部
３０  従来のアップライト型電気掃除機
３１  コードフック
３２  操作桿
３３  抱持部
３４  案内リブ
３４ａ  傾斜面
３５  電源コード
【図１】
0005214222.tif 000002
【図２】
0005214222.tif 000003
【図３】
0005214222.tif 000004
【図４】
0005214222.tif 000005
【図５】
0005214222.tif 000006
【図６】
0005214222.tif 000007